(57)【要約】      （修正有）【課題】振動を受けると内蔵されたライトを自動的に起動するとともに、プリセットされた時間内に再度振動を受けなかった場合は、内蔵されたランプを自動的に停止する、節電式自動発光バスケットゴールを提供する。【解決手段】台座１０、センサライトモジュール及びバスケットゴールユニットを含み、台座に収容溝が凹設され、センサライトモジュールは、台座の収容溝内に設けられ、電源供給モジュール、制御回路モジュール及び発光ダイオードモジュールを含み、制御回路モジュールは、振動センサとマイクロコントローラを含み、バスケットゴールユニット３０は、台座に固設され、透明ボード本体３１とゴール本体ユニット３３を含み、透明ボード本体は、挿入口から台座の収容溝に挿設されて、センサライトモジュールの発光ダイオードに隣接する。【選択図】図１
0003224765.tif 000002
【実用新案登録請求の範囲】
【請求項１】
台座、センサライトモジュール及びバスケットゴールユニットを含み、
前記台座に収容溝が凹設されるとともに、該台座の一端に挿入口が形成され、
前記センサライトモジュールは、前記台座の収容溝内に設けられ、電源供給モジュール、制御回路モジュール及び発光ダイオードモジュールを含み、
前記制御回路モジュールは、前記電源供給モジュールと電気接続され、振動センサとマイクロコントローラを含み、
前記振動センサは、振動を受けると振動信号を生成し、
前記マイクロコントローラは、前記振動センサと電気接続されるとともに、前記振動信号に基づいて制御信号を生成し、
前記発光ダイオードモジュールは、前記制御回路モジュールと電気接続されるとともに、前記制御信号を受信し、さらに、前記台座の挿入口に向いた少なくとも１つの発光ダイオードを含み、
前記バスケットゴールユニットは、前記台座に固設され、透明ボード本体とゴール本体ユニットを含み、
前記透明ボード本体は、前記挿入口から前記台座の収容溝に挿設されて、前記センサライトモジュールの発光ダイオードに隣接し、
前記ゴール本体ユニットが前記透明ボード本体に固設される、ことを特徴とする節電式自動発光バスケットゴール。
【請求項２】
前記透明ボード本体に、少なくとも１つの導光溝が凹設される、
ことを特徴とする請求項１に記載の節電式自動発光バスケットゴール。
【請求項３】
前記ゴール本体ユニットが、前部ゴール本体と固定ベースを含み、該前部ゴール本体と該固定ベースがそれぞれ、前記透明ボード本体の両側に設けられる、ことを特徴とする請求項２に記載の節電式自動発光バスケットゴール。
【請求項４】
前記バスケットゴールユニットにおける、前記前部ゴール本体から遠い側に、少なくとも１つの緩衝パッドがさらに設けられている、
ことを特徴とする請求項３に記載の節電式自動発光バスケットゴール。
【請求項５】
前記台座が、本体及び２つの端カバーを含み、該本体に前記収容溝が凹設され、該本体の長手方向の対向する両端に開口が形成され、該２つの端カバーがそれぞれ、該本体の対向する両端にかぶせられる、ことを特徴とする請求項４に記載の節電式自動発光バスケットゴール。
【請求項６】
前記透明ボード本体の頂端付近に少なくとも１つの吊り下げ穴が設けられる、ことを特徴とする請求項５に記載の節電式自動発光バスケットゴール。
【請求項７】
前記電源供給モジュールが、電池モジュールである、ことを特徴とする請求項６に記載の節電式自動発光バスケットゴール。
【考案の詳細な説明】
【技術分野】
【０００１】
本考案は、バスケットゴールに関するものであり、特に節電式自動発光バスケットゴールに関するものである。
【背景技術】
【０００２】
従来のバスケットゴールは主に、ボード本体と、該ボード本体に固定されたゴール本体を含み、該ボード本体表面には通常、ユーザがシュート時に狙いを定めるために、シュート照準枠線が塗布されている。しかしながら、夜間や光が不足する場所で従来のバスケットゴールを使用する場合、バスケットゴールや、ゴール本体、シュート照準枠線の位置が見づらく、照明装置を別途使用しなければ、夜間又は光が不足する場所で使用することができないうえ、従来のバスケットゴールのボード本体の形態は比較的単調で、視覚的効果がないため、消費者の購入につながりづらかった。
【考案の概要】
【考案が解決しようとする課題】
【０００３】
上記の欠点に鑑み、本考案は、振動を受けると内蔵されたライトが自動的に起動するとともに、プリセットされた時間内に再度振動を受けなかった場合は、内蔵されたランプが自動的に停止する、節電式の自動発光バスケットゴールを提供することを主な目的とする。
【課題を解決するための手段】
【０００４】
上記の考案の目的を達成するため、本考案の節電式自動発光バスケットゴールは、
台座、センサライトモジュール及びバスケットゴールユニットを含み、
前記台座に収容溝が凹設されるとともに、該台座の一端に挿入口が形成され、
前記センサライトモジュールは、前記台座の収容溝内に設けられ、電源供給モジュール、制御回路モジュール及び発光ダイオードモジュールを含み、
前記制御回路モジュールは、前記電源供給モジュールと電気接続され、振動センサとマイクロコントローラを含み、
前記振動センサは、振動を受けると振動信号を生成し、
前記マイクロコントローラは、前記振動センサと電気接続されるとともに、前記振動信号に基づいて制御信号を生成し、
前記発光ダイオードモジュールは、前記制御回路モジュールと電気接続されるとともに、前記制御信号を受信し、さらに、前記台座の挿入口に向いた少なくとも１つの発光ダイオードを含み、
前記バスケットゴールユニットは、前記台座に固設され、透明ボード本体とゴール本体ユニットを含み、
前記透明ボード本体は、前記挿入口から前記台座の収容溝に挿設されて、前記センサライトモジュールの発光ダイオードに隣接し、
前記ゴール本体ユニットが前記透明ボード本体に固設される。
【０００５】
本考案のバスケットゴールは、衝撃や振動を受けると、前記振動センサ（Ｖｉｂｒａｔｉｏｎ  Ｓｅｎｓｏｒ）が振動信号を生成して、前記マイクロコントローラ（Ｍｉｃｒｏｃｏｎｔｒｏｌｌｅｒ  Ｕｎｉｔ，ＭＣＵ）に送信し、該マイクロコントローラは、振動信号を受信すると、起動の制御信号を生成して、発光ダイオードモジュールに送信し、該発光ダイオード（Ｌｉｇｈｔ−ｅｍｉｔｔｉｎｇ  ｄｉｏｄｅ，ＬＥＤ）を導通させる。また、プリセットされた時間が経過しても振動信号を受信していない場合、前記マイクロコントローラは、停止の制御信号を生成して、前記発光ダイオードモジュールに送信し、前記発光ダイオードを導通させない。更に、ユーザが、シュートの振動力によって光源を起動させるとともに、プリセットされた時間内に使用がない場合は、光源を自動的に停止し、節電効果を図り、且つ、前記発光ダイオードの側方向の光源によって、透明ボード本体の全面を発光させ、夜間又は光が不足する場所において目立たせるという視覚的効果ももたらすので、ユーザは光が不足する場所でも、円滑にシュートを放つことができる。
【図面の簡単な説明】
【０００６】
【図１】本考案の好ましい実施形態の外観斜視図である。
【図２】本考案の好ましい実施形態の分解斜視図である。
【図３】本考案の好ましい実施形態の側面断面図である。
【図４】本考案の好ましい実施形態のセンサライトモジュールの外観斜視図である。
【図５】本考案の透明ボード本体の部分断面斜視図である。
【図６】本考案の好ましい実施形態の使用フロー図である。
【図７】本考案の好ましい実施形態の使用概略図である。
【図８】本考案の好ましい実施形態の使用概略図である。
【考案を実施するための形態】
【０００７】
図１〜図３に示すように、本考案の節電式自動発光バスケットゴールの好ましい実施形態では、台座１０、センサライトモジュール２０及びバスケットゴールユニット３０を含む。
【０００８】
前記台座１０に収容溝１１１が凹設されるとともに、該台座１０の一端に挿入口１１２が形成されている。本実施形態では、前記台座１０は、本体１１及び２つの端カバー１２を含み、該本体１１に前記収容溝１１１が凹設され、該本体１１の頂端に前記挿入口１１２が形成され、該収容溝１１１における、該本体１１の長手方向の対向する両端に開口が形成され、該２つの端カバー１２はそれぞれ、該本体１１の対向する両端にかぶせられることにより、該本体１１の対向する両端の開口を閉鎖する。また、前記各端カバー１２には、前記本体１１の片側に向かって突出する係合部１２２をさらに設けることができ、該係合部１２２は、２つのフィン１２３と２つの係合突起１２４を含み、該２つのフィン１２３は、間隔を置いて設けられ、該収容溝１１１内に設置されるとともに、それぞれ、該収容溝１１１の対向する両側に当接し、該２つの係合突起１２４は、それぞれ、該２つのフィン１２３における、他方のフィン１２３から遠い側に突設され、該収容溝１１１の対向する両側に、該係合突起１２４に対応する係合溝１１４が凹設され、該係合突起１２４が該係合溝１１４内に嵌合して係合することにより、該端カバー１２が固定される。尚、前記端カバー１２と本体１１とが固定される構造はこの構成に限定されるものではなく、該端カバー１２は、その他の掛合、ロック、接着等の方法により、該本体１１に固定されてもよい。
【０００９】
図２〜図４に示すように、前記センサライトモジュール２０は、前記台座１０の収容溝１１１内に設けられると共に、電源供給モジュール２１、制御回路モジュール２３及び発光ダイオードモジュール２５を含み、そのうち電源供給モジュール２１は、該センサライトモジュール２０に電力を供給するためのものであって、内蔵型の電池モジュール、或いは、外付け式の電源供給装置とすることができ、該制御回路モジュール２３は、該電源供給モジュール２１と発光ダイオードモジュール２５とを電気接続するものであり、プリント回路基板２３０、振動センサ（Ｖｉｂｒａｔｉｏｎ  Ｓｅｎｓｏｒ）２３１及びマイクロコントローラ（Ｍｉｃｒｏｃｏｎｔｒｏｌｌｅｒ  Ｕｎｉｔ，ＭＣＵ）２３３を含み、該振動センサ２３１とマイクロコントローラ２３３はいずれも該プリント回路基板２３０に設けられ、該振動センサ２３１は、振動を受けると、振動信号を生成し、該振動センサ２３１と電気接続される該マイクロコントローラ２３３は、該振動信号を受信すると、メモリプログラムの指令に基づいて演算と判断を行って、制御信号を生成し、該発光ダイオードモジュール２５は、該制御回路モジュール２３と電気接続されるとともに、該制御信号を受信して、プリセットされた動作を行い、該発光ダイオードモジュール２５は、該プリント回路基板２３０に直接設けられてもよく、或いは、該プリント回路基板２３０に電気接続された別のモジュールであってもよく、該発光ダイオードモジュール２５は、該台座１０の挿入口１１２に向いた少なくとも１つの発光ダイオード２５１（Ｌｉｇｈｔ−ｅｍｉｔｔｉｎｇ  ｄｉｏｄｅ，ＬＥＤ）を含む。尚、本実施形態では、前記発光ダイオードモジュール２５が、該台座１０の長手方向に間隔を置いて排列された複数の発光ダイオード２５１を含んでいる。
【００１０】
図２、図３及び図５に示すように、前記バスケットゴールユニット３０は、少なくとも１つの締結部材３５によって前記台座１０に固設され、透明ボード本体３１及びゴール本体ユニット３３を含み、そのうち透明ボード本体３１は、前記挿入口１１２から該台座１０の収容溝１１１に挿設されて、前記発光ダイオード２５１に隣接し、該ゴール本体ユニット３３は、該透明ボード本体３１に固設されるが、該ゴール本体ユニット３３は、前部ゴール本体３３１と固定ベース３３３を含み、該前部ゴール本体３３１と該固定ベース３３３はそれぞれ、該透明ボード本体３１の対向する両側に設けられるとともに、いずれも該台座１０の収容溝１１１内に挿設され、更に、該前部ゴール本体３３１、該透明ボード本体３１、該固定ベース３３３は、複数の締結部材３５によって接続されるとともに、該バスケットゴールユニット３０が１つの締結部材３５によって該台座１０に接続される。尚、前記バスケットゴールユニット３０は、少なくとも１つの緩衝パッド３３５、３６をさらに備えることができ、前記固定ベース３３３における、前記前部ゴール本体３３１から遠い側に緩衝パッド３３５を設け、或いは、前記透明ボード本体３１における、前部ゴール本体３３１から遠い側に少なくとも１つの緩衝パッド３６を貼付することにより、間隙をなくし、振動を吸収する。
【００１１】
前記透明ボード本体３１には、少なくとも１つの導光溝３１１が凹設され、該少なくとも１つの導光溝３１１は、前記前部ゴール本体３３１から遠い側に凹設され、シュート照準枠線のような複数の四角い枠、或いは、他の形状とすることができ、光源が側方から該透明ボード本体３１を照射すると、導光溝３１１が設けられていることで、該導光溝３１１の形状を目立たせることができ、更に、該透明ボード本体３１は、頂端付近に少なくとも１つの吊り下げ穴３１３を設けることもでき、図７に示すように、該吊り下げ穴３１３に吊り下げ部材４０を装着することにより、本考案のバスケットゴールをドアパネルに掛けて使用することができる。
【００１２】
好ましくは、図２及び図３に示すように、前記収容溝１１１の対向する両側にそれぞれ、第１位置決めリブ１１３及び第２位置決めリブ１１５が凸設され、該第１位置決めリブ１１３及び第２位置決めリブ１１５は、前記本体１１の長手方向に延びるとともに、該第２位置決めリブ１１５は、該第１位置決めリブ１１３の上方に、該第１位置決めリブ１１３と間隔を置いて位置し、前記プリント回路基板２３０は、該第１位置決めリブ１１３に当接し、且つ該プリント回路基板２３０の長手方向の組み付け位置は、２つの端カバー１２によって規制され、さらに、前記バスケットゴールユニット３０は、該第２位置決めリブ１１５に当接する。
【００１３】
図４及び図６〜図８に示すように、本考案のセンサライトモジュール２０の動作フローは、以下のとおりである。前記台座１０又は前記バスケットゴールユニット３０がシュートの衝撃を受けると、前記振動センサ２３１が、振動を感知して振動信号を生成し、前記マイクロコントローラ２３３は、振動信号を最初に受信した時、起動の制御信号を前記発光ダイオードモジュール２５に出力し、該発光ダイオードモジュール２５を起動する。前記マイクロコントローラ２３３は、プリセットされた時間内に振動信号を再度受信しなかったと判断した場合、停止の制御信号を前記発光ダイオードモジュール２５に出力して、該発光ダイオードモジュール２５を停止させる。
【００１４】
また、前記マイクロコントローラ２３３は、プリセットされたメモリプログラムの指令によって、振動信号を受信した間隔に基づき、異なる制御信号を生成し、前記発光ダイオードモジュール２５にその他のプリセット動作を行わせることもできる。例えば、前記マイクロコントローラ２３３は、振動信号を最初に受信すると、第１の制御信号を前記発光ダイオードモジュール２５に出力し、例えば、該発光ダイオードモジュール２５を起動するといった、第１のプリセット動作を行わせ、第１のプリセット時間内に振動信号を再度受信したかどうか、例えば、５秒以内に振動信号を再度受信したかどうかを判断し、受信していなければ、前記発光ダイオードモジュール２５を停止させ、受信していれば、第２の制御信号を該発光ダイオードモジュール２５に出力して、該発光ダイオードモジュール２５に、例えば、発光ダイオード２５１を０．５秒置きに３回点滅させ且つ起動を維持するといった、第２のプリセット動作を行わせ、第２のプリセット時間内に振動信号を再度受信したかどうか、例えば２０秒以内に振動信号を受信したかどうかを再度判断し、受信していなければ、前記発光ダイオードモジュール２５を停止し、受信していれば、第２の制御信号を該発光ダイオードモジュール２５に出力し、該発光ダイオードモジュール２５に第２のプリセット動作を行わせるとともに、第２のプリセット時間内に振動信号を再度受信したどうか、再度判断する。
【００１５】
上記の技術手段によって、シュートの振動力を利用して前記振動センサ２３１に振動信号を発信させることにより光源を起動し、プリセットされた時間内に使用がなかった場合は、光源を自動的に停止し、前記マイクロコントローラ２３３のメモリプログラムによって、振動信号の受信の有無、及び振動信号を受信するまでの時間の間隔に基づいて演算を行い、異なる制御信号を生成して、前記発光ダイオードモジュール２５にプリセットされた異なる動作を行わせ、また、前記発光ダイオード２５１の側方からの光源によって、前記透明ボード本体３１の全面を発光させ、夜間又は光が不足した場所において目立たせる視覚的効果を発揮させ、さらに、該透明ボード本体３１に前記導光溝３１１を凹設して、光源に該導光溝３１１の図形を照射させることにより、より目立たせることができるので、ユーザは、光が不足した場所でも円滑にシュートを放つことができる。
【符号の説明】
【００１６】
１０        台座
１１        本体
１１１      収容溝
１１２      挿入口
１１３      第１位置決めリブ
１１４      係合溝
１１５      第２位置決めリブ
１２        端カバー
１２２      係合部
１２３      フィン
１２４      係合突起
２０        センサライトモジュール
２１        電源供給モジュール
２３        制御回路モジュール
２３０      プリント回路基板
２３１      振動センサ
２３３      マイクロコントローラ
２５        発光ダイオードモジュール
２５１      発光ダイオード
３０        バスケットゴールユニット
３１        透明ボード本体
３１１      導光溝
３１３      吊り下げ穴
３３        ゴール本体ユニット
３３１      前部ゴール本体
３３３      固定ベース
３３５      緩衝パッド
３５        締結部材
３６        緩衝パッド
４０        吊り下げ部材
【図１】
0003224765.tif 000003
【図２】
0003224765.tif 000004
【図３】
0003224765.tif 000005
【図４】
0003224765.tif 000006
【図５】
0003224765.tif 000007
【図６】
0003224765.tif 000008
【図７】
0003224765.tif 000009
【図８】
0003224765.tif 000010